(57)【要約】【課題】未焼結状態の放電容器部品の組立てを容易にする。【解決手段】未焼結状態における第１の放電容器部品４０と、未焼結状態における第２の放電容器部品４２とが設けられており、第１及び第２の放電容器部品が、放電容器を形成するように接合されるように配置及び適合されており、第１の放電容器部品４０に一時的にかつ取外し可能に取り付けられた第１の取外し可能なハンドル４４が設けられており、取外し可能なハンドルが、第１の放電容器部品を操作するように配置及び適合されており、第２の放電容器部品４２に一時的にかつ取外し可能に取り付けられた第２の取外し可能なハンドル４６が設けられており、取外し可能なハンドルが、第２の放電容器部品を操作するように配置及び適合されている。【選択図】図２
2007012606.tif 000002
【特許請求の範囲】
【請求項１】
組立て前の未焼結状態におけるセラミック放電容器において、
未焼結状態における第１の放電容器部品と、
未焼結状態における第２の放電容器部品とが設けられており、前記第１及び第２の放電容器部品が、前記放電容器を形成するように接合されるように配置及び適合されており、
前記第１の放電容器部品に一時的にかつ取外し可能に取り付けられた第１の取外し可能なハンドルが設けられており、該取外し可能なハンドルが、前記第１の放電容器部品を操作するように配置及び適合されており、
前記第２の放電容器部品に一時的にかつ取外し可能に取り付けられた第２の取外し可能なハンドルが設けられており、該取外し可能なハンドルが、前記第２の放電容器部品を操作するように配置及び適合されていることを特徴とする、組立て前の未焼結状態におけるセラミック放電容器。
【請求項２】
前記第１及び第２の取外し可能なハンドルが、前記第１及び第２の放電容器部品が接合された場合に実質的に同一線上に位置している、請求項１記載の未焼結状態における放電容器。
【請求項３】
前記第１の放電容器部品が、互いに隣り合っておりかつ前記第１の取外し可能なハンドルから間隔を置いて配置された２つの毛管を有している、請求項１記載の未焼結状態における放電容器。
【請求項４】
前記２つの毛管の長手方向軸線が互いから拡開している、請求項３記載の未焼結状態における放電容器。
【請求項５】
前記２つの毛管の長手方向軸線が互いに対して平行である、請求項３記載の未焼結状態における放電容器。
【請求項６】
前記第１の放電容器部品と前記第２の放電容器部品とがそれぞれ１つの毛管を有しており、前記２つの毛管が互いに隣り合っており、前記第１及び第２の取外し可能なハンドルが、前記第１及び第２の放電容器部品が接合された場合に実質的に同一線上に位置している、請求項１記載の未焼結状態における放電容器。
【請求項７】
前記第１の放電容器部品と、前記第１の取外し可能なハンドルと、毛管のうちの第１の毛管との組み合わせが、前記第２の放電容器部品と、前記第２の取外し可能なハンドルと、毛管のうちの第２の毛管との組み合わせと同じである、請求項６記載の未焼結状態における放電容器。
【請求項８】
前記第１及び第２の放電容器部品が接合された時に前記２つの毛管の長手方向軸線が互いから拡開している、請求項６記載の未焼結状態における放電容器。
【請求項９】
前記第１及び第２の放電容器が接合された時に前記２つの毛管の長手方向軸線が互いに対して平行である、請求項６記載の未焼結状態における放電容器。
【請求項１０】
前記第１の放電容器部品と前記第２の放電容器部品とがそれぞれ概して半球形である、請求項１記載の未焼結状態における放電容器。
【請求項１１】
前記第１及び第２の取外し可能なハンドルが前記第１及び第２の放電容器部品の個々の極において一時的に取り付けられている、請求項１０記載の未焼結状態における放電容器。
【請求項１２】
前記第１及び第２の取外し可能なハンドルが中実のシャフトである、請求項１記載の未焼結状態における放電容器。
【請求項１３】
前記第１の放電容器部品と前記第２の放電容器部品とがそれぞれ互いに同じである、請求項１記載の未焼結状態における放電容器。
【請求項１４】
組立て前の未焼結状態におけるセラミック放電容器において、
未焼結状態の概して半球状の第１の放電容器部品と、
未焼結状態の概して半球状の第２の放電容器部品とが設けられており、前記第１及び第２の放電容器部品が、前記放電容器を形成するように接合されるように配置及び適合されており、
前記第１の放電容器部品に取り付けられた第１の毛管と、前記第１及び第２の放電容器部品のうちの一方に取り付けられた第２の毛管とが設けられており、前記第１及び第２の放電容器部品が接合された場合に前記第１及び第２の毛管が互いに隣り合っており、
前記第１の放電容器部品の極に一時的にかつ取外し可能に取り付けられた、第１の取外し可能なハンドルが設けられており、
前記第２の放電容器部品の極に一時的にかつ取外し可能に取り付けられた、第２の取外し可能なハンドルが設けられており、前記第１及び第２の放電容器部品が接合された場合に前記第１及び第２の取外し可能なハンドルが実質的に同一線上に位置していることを特徴とする、組立て前の未焼結状態におけるセラミック放電容器。
【請求項１５】
前記第１の毛管が前記第１の放電容器部品に取り付けられており、前記第２の毛管が前記第２の放電容器部品に取り付けられており、前記第１の放電容器部品と、前記第１の取外し可能なハンドルと、前記第１の毛管との組合せが、前記第２の放電容器部品と、前記第２の取外し可能なハンドルと、前記第２の毛管との組合せと同じである、請求項１４記載の未焼結状態における放電容器。
【発明の詳細な説明】
【技術分野】
【０００１】
本発明は、高輝度放電ランプのためのセラミック放電容器、特に、放電容器の組み立て中に未焼結状態である放電容器の部品の構造に関する。
【背景技術】
【０００２】
商用のセラミック放電容器は一般的に多結晶アルミナ（ＰＣＡ）セラミックを含む。アルミナ粉末がバインダと混合され、混合物は、等静圧圧縮成形（isostatic pressing）、押出し成形又は射出成形によって所望の形状に形成される。バインダは、部品が"未焼結状態"にある間（バインダ除去及び焼結の前に）成形されたアルミナ部品がその形状を維持するのを助ける。
【０００３】
引用により本明細書に記載されたこととする米国特許第６６２０２７２号明細書には、セラミックボディを組み立てるための方法が記載されており、この場合、放電容器の２つのセラミック半部が接合される。接合される表面は、局所的な溶融を生じるために加熱され、次いで、係合させられ、継目を交互に圧縮及び伸長することによって継目において接合される。この特許に記載された接合装置は図１に示されている。放電容器部品１は、向き合ったホルダ１５の使用によって接合装置に固定されて示されている。放電容器部品及びそれらの対応するホルダは、共通の軸線１２を共有するように向けられている。引っ込み可能なピン３５は、接合の間部品を所定の位置に保持するために放電容器部品の電極受容部材（毛管）３に係合する。装置に固定されると、２つの部品の相対位置は位置合わせされ、これにより、２つの部品は正確に係合させられる。次いで、ヒータ１９が、２つのホルダの間に、放電容器部品の接合面７に隣接して配置される。加熱の後、一方又は両方のホルダを共通の軸線１２に沿って互いに向かって移動させることによって、部品が即座に係合させられる。次いで、部品を互いに向かって前方へ、最初の接触点よりもさらに継続して変位させることによって、圧縮が提供される。圧縮により、軟化された材料が外側へ膨らみ、見える継目を形成する。部品が係合及び圧縮されるとき、溶融した表面が融合し、一体的なボディを形成する。所定の箇所において、放電容器部品の前方変位は反転され、部品は互いから離れる方向へ引っ張られ、境界面領域における材料の伸長を生ぜしめる。伸長により、依然として柔軟な材料が薄くなり、これにより継目の突出を減じる。伸長の間、逆方向での変位は好適には、区分の間の最初の接触箇所を越えて、継続される。
【０００４】
この装置は、向き合った側において毛管（図１における３）を有する２つの未焼結状態の放電容器部品から放電容器を組み立てるのに適しており、毛管は、継目の突出を減じる圧縮及び伸長を容易にするために装置（例えばピン３５）によって掴まれることができる。
【０００５】
しかしながら、幾つかの放電容器部品はボディの向き合った側において毛管を有しておらず、ひいては、図１における装置はこのような放電容器を組み立てるのに適していない。ボディの同じ側に２つの毛管を備えた放電容器が欧州特許第１１１１６５４号明細書に開示されている。
【０００６】
さらに、未焼結状態の放電容器部品が前記米国特許の圧縮及び伸長を提供されるかどうかにかかわらず、接合したい未焼結状態の放電容器部品は、放電容器部品を整合させるために、依然として、安定した、反復可能な位置に保持されなければならない。部品は、個々のホルダにおいて回転して、毛管の整合不良を生じる場合があり、毛管は、組み立てられた放電容器において互いに対して特定の位置及び角度を有していなければならない。
【特許文献１】米国特許第６６２０２７２号明細書
【特許文献２】欧州特許第１１１１６５４号明細書
【発明の開示】
【発明が解決しようとする課題】
【０００７】
本発明の目的は、２つ又は３つ以上の未焼結状態の部品から放電容器を組み立てる装置に適応可能な、未焼結状態の放電容器部品のための新規の構造を提供することである。
【０００８】
本発明の別の目的は、放電容器を形成するために接合されるように適合された未焼結状態の第１及び第２の放電容器部品と、第１及び第２の放電容器部品を接合するのを容易にするために、第１の放電容器部品を操作するために第１の放電容器部品に一時的にかつ取外し可能に取り付けられた第１の取外し可能なハンドルと、第２の放電容器部品を操作するために第２の放電容器部品に一時的にかつ取外し可能に取り付けられた第２の取外し可能なハンドルとを含む、セラミック放電容器の最終的な組立ての前の未焼結状態の新規の放電容器部品を提供することであり、第１及び第２の取外し可能なハンドルは、個々の放電容器部品に取り付けられた毛管とは別個である。
【０００９】
発明のこれらの及びその他の目的及び利点は、好適な実施形態の以下の図面及び詳細な説明を考慮した後に本発明の当業者に明らかになるであろう。
【発明を実施するための最良の形態】
【００１０】
ここで図２及び図３を参照すると、組立て前の未焼結状態のセラミック放電容器は、未焼結状態の第１の放電容器部品４０，５０と、未焼結状態の第２の放電容器部品４２，５２とを有しており、この場合、第１及び第２の放電容器部品は、接合された場合に放電容器を形成するように適合されており、さらに、第１及び第２の放電容器部品を接合するのを容易にするために、第１の放電容器部品を操作するために第１の放電容器部品４０，５０に一時的に取り付けられた第１の取外し可能なハンドル４４，５４と、第２の放電容器部品を操作するために第２の放電容器部品４２，５２に一時的に取り付けられた第２の取外し可能なハンドル４６，５６とを有している。第１及び第２の取外し可能なハンドルは、第１及び第２の放電容器部品を、放電容器を形成するために２つの部品を接合する装置、例えば図１に示された装置又はその他の同様の装置に位置決めするために使用される。
【００１１】
取外し可能なハンドルは、２つの部品が接合された後、例えばバインダ除去又は最終的な焼結の後、適切な時点で取り外される。好適には、取外し部位は、放電容器からの光伝達に影響するような十分なサイズの痕跡を生じない。
【００１２】
望ましくは、第１及び第２の取外し可能なハンドル４４，４６；５４，５６は、放電容器部品の整合を容易にするために、第１及び第２の放電容器部品が接合された時に実質的に同一線上に位置する。第１及び第２の取外し可能なハンドルは、好適には、増大した強度のための中実なシャフトであり、型からの取り外しを容易にするためにテーパしていることができる。取外し可能なハンドルは、放電容器部品及び／又は毛管と同じセラミック材料から形成されるか又は放電容器部品に一時的にかつ取外し可能に取り付け可能な別の適切な材料から形成されることができる。
【００１３】
第１の放電容器部品４０，５０は、第１の放電容器部品に取り付けられた第１の中空の毛管４８ａ，５８ａを有する。第２の中空の毛管４８ｂ，５８ｂは、第１及び第２の放電容器部品のうちの一方に取り付けられている。毛管はランプのための電極を受容するように適合されている。毛管は、一時的にのみ放電容器部品に取り付けられた取外し可能なハンドルとは異なり、個々の放電容器部品に永久に固定されている。２つの毛管の長手方向軸線は、形成されている放電容器のタイプに応じて、同一線上に位置するか、互いから拡開しているか又は互いに対して平行であることができる。
【００１４】
第１及び第２の放電容器部品は概して、図示したように半球形であるか、又は形成されている放電容器のタイプに適したその他の形状（例えば楕円形又は円筒形）であることができる。放電容器部品が半球形の場合、部品の適切な整合を容易にするために、好適には第１及び第２の取外し可能なハンドルは一時的に、これらの半球形放電容器部品の個々の極（例えば北極及び南極）に取り付けられている。
【００１５】
図２及び図３は、本発明の放電容器部品の２つの実施形態を示している。図２は、２つの異なる放電容器部品を有しており（一方の部品は２つの毛管、又は２つの毛管が取り付けられている箇所を有しており、一方の部品は有していない）、したがって、２つの異なる部品を形成するために２つの異なる型を必要とする。図３は、同じ２つの放電容器部品を有しており（各部品は１つの毛管を有している又は１つの毛管を受容するように適合されている）、したがって、この実施形態は、両方の放電容器部品を形成するために同じ型を使用するという利点を提供する。
【００１６】
本発明の実施形態は前記明細書及び図面に説明されたが、明細書及び図面に照らして読むことにより本発明は請求項によって定義されることが理解されるべきである。
【図面の簡単な説明】
【００１７】
【図１】２つのセラミック部品を接合する従来技術の装置の絵画的表現図である。
【図２】本発明の実施形態の断面図である。
【図３】本発明の別の実施形態の断面図である。
【符号の説明】
【００１８】
４０，５０  第１の放電容器部品、  ４２，５２  第２の放電容器部品、  ４４，５４  第１のハンドル、  ４６，５６  第２のハンドル、  ４８，５８  毛管
【図１】
2007012606.tif 000003
【図２】
2007012606.tif 000004
【図３】
2007012606.tif 000005
【外国語明細書】
2007012606.tif 000006
2007012606.tif 000007
2007012606.tif 000008
2007012606.tif 000009
2007012606.tif 000010
2007012606.tif 000011
2007012606.tif 000012
2007012606.tif 000013
2007012606.tif 000014
2007012606.tif 000015
2007012606.tif 000016
2007012606.tif 000017
2007012606.tif 000018